(57)【特許請求の範囲】
【請求項１】
携帯電話機本体に非接触式自動改札機との間で非接触でデータ授受を行って入出場処理するための定期券等の所定の乗車券の乗車券データを記憶するための乗車券データ記憶部を設けるとともに、その非接触式自動改札機からの電力波を受信して駆動電源とし、その携帯電話機本体の駆動電源が切れてもその携帯電話機本体とその非接触式自動改札機との間で非接触でデータ授受を可能として入出場処理する入出場処理手段を設けたことを特徴とする携帯電話機。
【請求項２】
携帯電話機本体に所定の金額データを記憶する金額データ記憶部を設けるとともに、非接触式自動改札機等の処理機からの電力波を受信して駆動電源とし、その携帯電話機本体の駆動電源が切れてもその携帯電話機本体とその処理機との間で非接触でデータ授受を可能として所定の処理を行なう処理手段を設けたことを特徴とする携帯電話機。
【請求項３】
請求項２に記載の携帯電話機において、前記金額データ記憶部に記憶される所定の金額データは、前記携帯電話機本体を用いた通信により書込まれるものであることを特徴とする携帯電話機。
【請求項４】
請求項１〜３のいずれかに記載の携帯電話機において、前記乗車券データ記憶部又は前記金額データ記憶部に記憶されている内容を前記携帯電話機本体に設けられている表示画面に表示する表示制御手段を有することを特徴とする携帯電話機。
【請求項５】
非接触式自動改札機の本体からの電力波を受信して駆動電源とし、携帯電話機本体の駆動電源が切れてもその携帯電話機本体とその非接触式自動改札機の本体との間で交信を可能とする交信手段と、
交信したときに得られた、前記携帯電話機に記録されている定期券等の所定の乗車券データ、又は所定の金額データに基づいて入出場処理する入出場制御手段と、
を有することを特徴とする非接触式自動改札機。
【請求項６】
非接触式自動改札機の本体からの電力波を受信して駆動電源とし、携帯電話機本体の駆動電源が切れてもその携帯電話機本体とその非接触式自動改札機の本体との間で交信を可能とする交信手段と、
交信したときに得られた、前記携帯電話機の識別データ及びその携帯電話機の電話回線網を介して予め入力された乗車予約データに基づいて入出場処理する入出場制御手段と、
を有することを特徴とする非接触式自動改札機。
【発明の詳細な説明】
【０００１】
【発明の属する技術分野】
本発明は、携帯電話機及びその携帯電話機を用いて非接触的に入出場処理することのできる非接触式自動改札機に関する。
【０００２】
【従来の技術】
従来、例えば、特開平１−２４６６８７号公報に示されているように、自動改札機の本体と定期券との間で非接触的にデータの授受を行って、自動改札機の本体に定期券を挿入することなく入出場処理（入場又は出場の処理）を行うことのできる非接触式自動改札機が提案されている。この非接触式自動改札機は、定期券等の乗車券類を非接触式自動改札機の本体に投入する必要がないため、利用者（旅客）の利便性を向上できる特長を有している。すなわち、定期券利用者は、入出場の度に定期券を定期券入れから出し入れすることなく、定期券を非接触式自動改札機の本体に設けられているアンテナにかざしたり、そのアンテナに軽く触れるだけで足りるので、利用者の利便性を向上させることができる。
【０００３】
上述の非接触式自動改札機で用いられる非接触式定期券は、無線通信機能を備えたＩＣカードからなる非接触券で構成されている。したがって、その非接触券のメモリの内容を更新すれば、その非接触券を繰返し使用することができる特長も有している。また、その非接触券は、ＩＣカードからなるので、従来の磁気券に比べて記憶容量が格段に大きいので、その非接触券に金額データ（ＳＦデータ）を持たせ、その金額データを用いて定期券の乗車区間外を乗車できるようにしたり、あるいは、駅売店等で買物ができるようにすることが考えられている。
【０００４】
【発明が解決しようとする課題】
上述のように、非接触式自動改札機は、定期券利用者にとって、極めて便利な自動改札機となるが、近年、いわゆるＰＨＳ（パーソナル・ハンディホン・システム）や携帯電話等の携帯電話機（移動体通信器）が普及してきており、非接触式自動改札機が普及したときには、非接触券及び携帯電話機を所持する必要がでてくる。つまり、同種の無線通信機器を２個所持しなければならないという面倒が発生する。
【０００５】
また、定期券が非接触券となった場合、定期券データの更新は簡単に行うことができるが、その定期券の有効区間等の表示内容の更新、すなわち、券面の印字の変更を所定の発色温度で印字し、所定の消色温度で消字するリライト方式等の複雑な印字方式を採用しなければならないという欠点がある。
【０００６】
さらに、近年の携帯電話機の普及に伴い、その携帯電話機を利用して予約乗車できるようにするとともに、非接触券に金額データを持たせたとき、その携帯電話機を利用して銀行口座から金額データを書込めるようにすることが望まれている。
【０００７】
そこで、本発明は、上記欠点を解決するとともに、上記要望に応えるためになされたものであって、その目的は、非接触式自動改札機で用いる携帯電話機を提供するとともに、その携帯電話機との間でデータ授受を行って入出場処理することのできる非接触式自動改札機を提供することにある。
【０００８】
【課題を解決するための手段】
本発明の請求項１に係る携帯電話機は、上記目的を達成するために、携帯電話機本体に非接触式自動改札機との間で非接触でデータ授受を行って入出場処理するための定期券等の所定の乗車券の乗車券データを記憶するための乗車券データ記憶部を設けるとともに、その非接触式自動改札機からの電力波を受信して駆動電源とし、その携帯電話機本体の駆動電源が切れてもその携帯電話機本体とその非接触式自動改札機との間で非接触でデータ授受を可能として入出場処理する入出場処理手段を設けたことを特徴としている。
本発明の請求項２に係る携帯電話機は、上記目的を達成するために、携帯電話機本体に所定の金額データを記憶する金額データ記憶部を設けるとともに、非接触式自動改札機等の処理機からの電力波を受信して駆動電源とし、その携帯電話機本体の駆動電源が切れてもその携帯電話機本体とその処理機との間で非接触でデータ授受を可能として所定の処理を行なう処理手段を設けたことを特徴としている。
本発明の請求項３に係る携帯電話機は、前記金額データ記憶部に記憶される所定の金額データは、前記携帯電話機本体を用いた通信により書込まれるものであることを特徴としている。
本発明の請求項４に係る携帯電話機は、前記乗車券データ記憶部又は前記金額データ記憶部に記憶されている内容を前記携帯電話機本体に設けられている表示画面に表示する表示制御手段を有することを特徴としている。
【０００９】
本発明の請求項５に係る非接触式自動改札機は、上記目的を達成するために、非接触式自動改札機の本体からの電力波を受信して駆動電源とし、携帯電話機本体の駆動電源が切れてもその携帯電話機本体とその非接触式自動改札機の本体との間で交信を可能とする交信手段と、交信したときに得られた、前記携帯電話機に記録されている定期券等の所定の乗車券データ、又は所定の金額データに基づいて入出場処理する入出場制御手段と、を有することを特徴としている。
【００１０】
本発明の請求項６に係る非接触式自動改札機は、上記目的を達成するために、非接触式自動改札機の本体からの電力波を受信して駆動電源とし、携帯電話機本体の駆動電源が切れてもその携帯電話機本体とその非接触式自動改札機の本体との間で交信を可能とする交信手段と、交信したときに得られた、前記携帯電話機の識別データ及びその携帯電話機の電話回線網を介して予め入力された乗車予約データに基づいて入出場処理する入出場制御手段と、を有することを特徴としている。
【００１１】
【発明の実施の形態】
以下、本発明の実施の形態を図面に基づいて説明する。図１は、携帯電話機を用いて入出場処理している状態を示す一実施の形態に係る非接触式自動改札機及び携帯電話機の斜視図、図２は携帯電話機を用いて予約乗車するときの全体的説明図である。
【００１２】
先ず、非接触式自動改札機から説明すると、非接触式自動改札機の本体（以下、「本体」という。）の改札通路Ｐの入口側の筐体Ｈの上面には、図示しない非接触式券又は携帯電話機本体（ＰＨＳも含む）Ｈ（以下、携帯電話機本体を含めて携帯電話機で説明する。）と交信するためのアンテナａが設けられている。
【００１３】
本体Ｇの筐体Ｇ′の改札通路Ｐの入口側には、本体Ｇの使用状態、つまり改札通路Ｐを通過できるか否かを利用者に表示するための表示部１が設けられている。また、図中、Ｓ，Ｓ…は、改札通路Ｐへの利用者の進入又は改札通路Ｐからの退出、あるいは通過を検知するための光電式の人間検知器であり、筐体Ｇ′の側面及びセンサ取付アーム２に取付けられている。また、筐体Ｇ′の側面には、利用者に対して音声により所定の案内をアナウンスするためのスピーカ３が取付けられているとともに、筐体Ｇ′の上面の出口側には、利用者に対して文字により所定の案内を行う表示画面４が取付けられている。
【００１４】
図中、５は、本体Ｇの動作を司どる制御器であり、マイクロコンピュータを中心に構成されている。そして、この制御器５には、携帯電話機Ｈとの間でデータの送受信を行うトランスミッタ（リーダライタ）Ｔが接続されている。
【００１５】
トランスミッタＴは、周知の非接触式自動改札機と同じく、アンテナａを介して本体Ｇから携帯電話機Ｈに駅名及び当日日付等のデータの送信信号を送信するとともに、携帯電話機Ｈからの乗車区間等の非接触券のカードデータに相当する所定のデータ（本発明では「カードデータ」として説明する。）を受信できる機能を有している。
【００１６】
図２は、携帯電話機Ｈの基地局Ｂが各駅（ここでは、説明を簡単にするために甲，乙の２駅しか示されていない。）のコンピュータを中心に構成された駅装置Ｃ，Ｃと電話回線網（公衆回線網）Ｌを介して接続されている状態が示されている。
【００１７】
すなわち、この図２は、後に詳述するが、携帯電話機Ｈで予約乗車するときの入出場処理を示していて、携帯電話機Ｈで各駅の本体Ｇに予約情報を書込み、その情報に基づいて携帯電話機Ｈを用いて入出場できることを示している。
【００１８】
図３は、本体Ｇの制御器５及び携帯電話機Ｈの電気的構成を示すブロック図であって、本体Ｇに設けられている制御器５側から説明すると、この制御器５の制御部６は、メモリ７に記憶されているシステムプログラム及びワーキングデータを用いて演算処理を行って、本体Ｇを統括的に制御できるように構成されている。そして、この制御部６には、図示しないＩ／Ｏユニットを介してドアＤ1 ，Ｄ2 を駆動制御するドア駆動ユニット８と、表示画面４の表示内容及び表示色を駆動制御する表示画面駆動ユニット９とが接続されている。なお、この制御部６には、Ｉ／Ｏユニットを介してスピーカ３の音声を駆動制御する音声駆動ユニット、及び人間検知器Ｓの検知信号を入力するためのセンサアンプ等が接続されているが、ここでは省略されている。
【００１９】
トランスミッタＴには、携帯電話機Ｈと交信を行うためのアンテナａが接続されている。なお、このアンテナａには、図示しない従来の非接触券とデータ授受を行うときに、その非接触券に電力を供給するためのアンテナも含まれているが、ここでは省略されている。
【００２０】
携帯電話機Ｈは、周知の携帯電話機として機能する携帯電話機ユニット（送受話器ユニット）ｈの外に、周知の非接触券として機能する部材（非接触式のＩＣカード）が含まれている。すなわち、この携帯電話機Ｈには、上述の携帯電話機ユニットｈ以外に、アンテナ１０と、通信制御部１１と、ＣＰＵ１２と、メモリ１３とが設けられている。このメモリ１３には、ＣＰＵ１２の演算処理用のシステムプログラムが記憶されているとともに、図３の下部右側に示されるように、そのメモリ１３の定期券データ記憶部１３ａには定期券データが、また、金額データ記憶部１３ｂには金額データ（ＳＦデータ）が記憶されている。
【００２１】
定期券データ及び金額データ、すなわち、カードデータのメモリ１３への記憶は、駅等の所定の場所に設けられるデータ書込機によって、すなわち、周知の非接触券へのデータ書込と同様に行われる。もちろん、このカードデータ書込は、前払い又は後払いかを問わず、乗車料金の支払を条件に行われる。
【００２２】
なお、上述の通信制御部１１、ＣＰＵ１２及びメモリ１３は、説明を容易にするために、携帯電話機ユニット（送受話器ユニット）ｈと別体として示されているが、携帯電話機ユニットｈに設けられている共通する各部材と共用してもよいことはもちろんである。
【００２３】
しかし、携帯電話機Ｈの電池Ｅが切れたときに、その携帯電話機Ｈによる入出場ができなくなるのを防止するために、周知の非接触券に設けられているような本体Ｇからの電力波を受けるアンテナと、そのアンテナで受信した信号を基に電力を生成する電力生成回路とを設けて、電池Ｅが切れていても、常時、入出場処理できるようにすることが望まれる。
【００２４】
次に、図４（ａ）のフローチャートを用いて携帯電話機Ｈのメモリ１３に記憶されている定期券データを用いた入出場の制御動作について説明する。
【００２５】
今、携帯電話機Ｈを所持している利用者が入出場をしようとして、その携帯電話機Ｈを本体Ｇのアンテナａにかざしたとする（ステップ１００肯定。以下、ステップを「Ｓ」とする。）。携帯電話機Ｈがアンテナａにかざされると、本体Ｇと携帯電話機Ｈとの間でデータ授受が行われる（Ｓ１０２）。
【００２６】
本体Ｇの制御部（ＣＰＵ）６は、データ授受により得られた携帯電話機Ｈからのカードデータ（定期券データ）に基づいて入出場処理の演算を行い、その演算処理の結果、入出場を許可できるときは、ドアＤ1 が開かれて（本体Ｇがノーマルオープン型のときはそのまま）入出場が許可されるとともに、携帯電話機Ｈのメモリ１３に新たな入出場データが書込まれて、一連の入出場処理が終了となる（Ｓ１０４肯定、Ｓ１０６）。
【００２７】
上述の入出場の演算処理の結果が入出場を許可できないとき、例えば、定期券の有効期間切れ等により入出場を許可できないときは、ドアＤ1 が閉じられるとともに、入出場拒否の原因が表示画面４及びスピーカ３を介して案内される（Ｓ１０４否定、Ｓ１０８）。
【００２８】
上述の制御動作の例は、携帯電話機Ｈのメモリ１３に記憶されている定期券データを用いた入出場処理であるが、メモリ１３の金額データ記憶部１３ｂに記憶されている残額が入出場を許可できるときは入出場が許可され、また、その残額が不足するときには入出場が拒否される。
【００２９】
図４（ｂ）は、携帯電話機Ｈを用いて予約乗車するときの制御動作を示すもので、図２をも用いて説明する。
【００３０】
今、携帯電話機Ｈを所持している利用者が甲駅から乙駅まで乗車しようとしているものとする。
【００３１】
携帯電話機Ｈの図示しない機能ボタンやテンキー等のプッシュボタンを所定の手順より操作されることにより、基地局Ｂ及び電話回線Ｌを介して甲駅に設けられている駅装置Ｃの乗車予約システムが稼動し、その携帯電話機Ｈの識別データ（例えば、携帯電話機Ｈの電話番号）とともに予約される。そして、この予約情報は、甲駅に設置される本体Ｇの制御器５のメモリ７に記憶される。
【００３２】
メモリ７に予約情報が記憶されている状態で、予約に係る携帯電話機Ｈが本体Ｇのアンテナａにかざされると、本体Ｇと携帯電話機Ｈとの間でデータ授受が行われる（Ｓ２００肯定、Ｓ２０２）。
【００３３】
本体Ｇの制御器５の制御部（ＣＰＵ）６は、データ授受によって得られた携帯電話機Ｈの識別データ（携帯電話機Ｈのメモリ１３にカードデータとして含まれている。）と、予めメモリ７に記憶されている識別データが一致したとき、その携帯電話機Ｈの所持者が予約客と判定されて入場が許可される（Ｓ２０６肯定、Ｓ２０８）。もちろん、上述の識別データが一致しないときは、予約客でないので入場は拒否される（Ｓ２０６否定、Ｓ２１０）。
【００３４】
図４（ｂ）のステップでは省略されているが、甲駅から入場するときは、携帯電話機Ｈのメモリ１３に入場データが書込まれ、また、乙駅から出場するときは、そのメモリ１３に出場データが書込まれる。
【００３５】
上述の予約乗車における乗車料金の徴収は、携帯電話機Ｈによる予約成立時に、その携帯電話機Ｈの使用料金の支払口座から、又は別の口座から引落すことにより行ったり、あるいは、乙駅からの出場時に甲駅から乙駅までの実際の乗車料金を算出して引落すようにすることができる。いずれにしても、キャッシュレスで乗車できる特長がある。
【００３６】
なお、上述の例では、本体Ｇは携帯電話機Ｈで入出場処理することを示したが、非接触券でも入出場処理できることはもちろんである。
【００３７】
図５は、携帯電話機Ｈの各種モードのうちの定期券の内容を表示する定期券内容表示モード、及び自己の銀行口座等の所定の場所から携帯電話機Ｈに所定の金額を書込む金額積増モードの制御動作を示すフローチャートである。
【００３８】
もちろん、この携帯電話機Ｈには、周知の携帯電話機と同様に、電話番号を登録するような各種モードを設定することができるが、ここでは、上述の２つのモードについてのみ説明する。
【００３９】
先ず、携帯電話機Ｈを定期券内容表示モードに設定するには、携帯電話機Ｈの図示しない機能ボタンやテンキー等のプッシュボタンを所定の手順で操作すると、携帯電話機Ｈは、定期券内容表示モードに設定される。（Ｓ３００、Ｓ３０２ａ）。携帯電話機Ｈが定期券内容表示モードに設定されると、携帯電話機Ｈの液晶等からなる表示画面Ｈ′に、図６（ａ）に示されるような定期券の内容が表示される。したがって、利用者は、自己の定期券の内容を確認することができ、定期券の更新等を効果的に行うことができる。
【００４０】
次に、携帯電話機Ｈを金額積増モードに設定するには、携帯電話機Ｈの図示しない機能ボタンやテンキー等のプッシュボタンを所定の手順で操作すると、携帯電話機Ｈは、金額積増モードに設定される。（Ｓ３００、Ｓ３０２ｂ）。携帯電話機Ｈが金額積増モードに設定されると、携帯電話機Ｈは、利用者の銀行口座を管理している所定のセンタ（例えば銀行）と電話回線が結ばれる。そして、携帯電話機Ｈから暗証番号や金額等の所定のデータが入力されると、携帯電話機Ｈの液晶等からなる表示画面Ｈ′に、図６（ｂ）に示されるような金額の積増内容が表示される。したがって、利用者は、自己の所持する携帯電話機Ｈに所定の金額を積増すことができ、以後、この金額を用いて入出場したり、商品の買物を行うことができる。
【００４１】
【発明の効果】
本発明の請求項１に係る携帯電話機は、携帯電話機に非接触式自動改札機との間で非接触でデータ授受を行って入出場処理するための定期券等の所定の乗車券の乗車券データを記憶するための乗車券データ記憶部を設けけるとともに、その非接触式自動改札機からの電力波を受信して駆動電源とし、その携帯電話機本体の駆動電源が切れてもその携帯電話機本体とその非接触式自動改札機との間で非接触でデータ授受を可能として入出場処理する入出場処理手段を設けたので、携帯電話機を用いて非接触で入出場することができるとともに、携帯電話機の電池が切れても入出場することができる。
本発明の請求項２に係る携帯電話機は、携帯電話機に所定の金額データを記憶する金額データ記憶部を設けるとともに、非接触式自動改札機等の処理機からの電力波を受信して駆動電源とし、その携帯電話機本体の駆動電源が切れてもその携帯電話機本体とその処理機との間で非接触でデータ授受を可能として所定の処理を行なう処理手段を設けたので、携帯電話機に金額データを含ませることができるとともに、携帯電話機の電池が切れても所定の処理を行なうことができる。
本発明の請求項３に係る携帯電話機は、前記金額データ記憶部に記憶される所定の金額データを、前記携帯電話機を用いた通信により書込まれるようにしたので、携帯電話機を介して金額を簡単に積増しすることができる。
本発明の請求項４に係る携帯電話機は、前記乗車券データ記憶部又は前記金額データ記憶部に記憶されている内容を前記携帯電話機に設けられている表示画面に表示する表示制御手段を設けたので、定期券の内容等を表示画面に表示させて容易に確認することができる。
【００４２】
本発明の請求項５に係る非接触式自動改札機は、携帯電話機本体の駆動電源が切れたときに、本体からの電力波を受信して駆動電源とし、その携帯電話機本体とその本体との間で交信を可能とする交信手段と、交信したときに得られた、前記携帯電話機に記録されている定期券等の所定の乗車券データ、又は所定の金額データに基づいて入出場処理する入出場制御手段とからなるので、非接触券に代えて携帯電話機を用いて入出場することができるとともに、その携帯電話機の電池が切れても入出場処理することができる。
【００４３】
本発明の請求項６に係る非接触式自動改札機は、本体からの電力波を受信して駆動電源とし、携帯電話機本体の駆動電源が切れてもその携帯電話機本体とその本体との間で交信を可能とする交信手段と、交信したときに得られた、前記携帯電話機の識別データ及びその携帯電話機の電話回線網を介して予め入力された乗車予約データに基づいて入出場処理する入出場制御手段ので、携帯電話機を用いて予約乗車することができるとともに、その携帯電話機の電池が切れても入出場処理することができる。
【図面の簡単な説明】
【図１】  本発明の一実施の形態に係る非接触式自動改札機及び携帯電話機の斜視図である。
【図２】  携帯電話機を用いて予約乗車するときの説明図である。
【図３】  電気的構成を示すフローチャートである。
【図４】  制御動作を示すフローチャートである。
【図５】  制御動作を示すフローチャートである。
【図６】  （ａ），（ｂ）は、携帯電話機の表示画面の表示例である。
【符号の説明】
Ｇ  非接触式自動改札機の本体（本体）
３  スピーカ
４  表示画面
Ｔ  トランスミッタ
Ｓ  人間検知器
ａ  アンテナ
Ｈ  携帯電話機本体（携帯電話機）
【図４】
0003897952.tif 000002
【図５】
0003897952.tif 000003
【図６】
0003897952.tif 000004
【図１】
0003897952.tif 000005
【図２】
0003897952.tif 000006
【図３】
0003897952.tif 000007